(57)【特許請求の範囲】
【請求項１】
ＶｏＩＰ(Voice over IP)機能を有する緊急情報通知装置であって、
予め付与された緊急速報用電話番号に対応するアドレスに緊急速報用ＳＩＰ(Session Initiation Protocol)サーバから緊急速報用ＩＮＶＩＴＥパケットを受信する通信手段と、
前記緊急速報用ＩＮＶＩＴＥパケットを受信することで電話機を鳴動させ、複数の発光素子による緊急情報表示を行う制御手段と、
を有し、前記通信手段は、前記緊急速報用ＩＮＶＩＴＥパケットを受信した時に、その受信応答以外の制御信号は送信しない、ことを特徴とする緊急情報通知装置。
【請求項２】
前記制御手段は、前記緊急速報用ＩＮＶＩＴＥパケットに含まれる緊急情報に基づいて音声ガイダンスを生成し、前記電話機が応答したときに前記音声ガイダンスを出力することを特徴とする請求項１に記載の緊急情報通知装置。
【請求項３】
前記制御手段は、前記緊急速報用ＩＮＶＩＴＥパケットに含まれる緊急情報に基づいて、前記複数の発光素子の発光態様を変化させることを特徴とする請求項１または２に記載の緊急情報通知装置。
【請求項４】
ＶｏＩＰ(Voice over IP)機能を有する複数のユーザ側通信装置へ緊急情報を配信するシステムであって、
ＶｏＩＰ用ＳＩＰサーバと緊急速報用ＳＩＰサーバとを有し、緊急情報を受けると前記緊急速報用ＳＩＰサーバが前記複数のユーザ側通信装置に共通の緊急速報用電話番号へ緊急速報用ＩＮＶＩＴＥパケットを送信し、
前記ユーザ側通信装置に接続された少なくとも１つの電話機を更に有し、
前記ユーザ側通信装置が、
前記緊急速報用電話番号に対応するアドレスに前記緊急速報用ＩＮＶＩＴＥパケットを受信する通信手段と、
前記緊急速報用ＩＮＶＩＴＥパケットを受信することで前記電話機を鳴動させ、複数の発光素子による緊急情報表示を行う制御手段と、
を有し、前記通信手段が前記緊急速報用ＩＮＶＩＴＥパケットを受信した時に、その受信応答以外の制御信号は送信しない、
ことを特徴とする緊急情報配信システム。
【請求項５】
ＶｏＩＰ(Voice over IP)機能を有する通信装置における緊急情報通知方法であって、
予め付与された緊急速報用電話番号に対応するアドレスに緊急速報用ＳＩＰ(Session Initiation Protocol)サーバから緊急速報用ＩＮＶＩＴＥパケットを受信し、
前記緊急速報用ＩＮＶＩＴＥパケットを受信することで電話機を鳴動させ、複数の発光素子による緊急情報表示を行い、
前記緊急速報用ＩＮＶＩＴＥパケットを受信した時に、その受信応答以外の制御信号は送信しない、
ことを特徴とする緊急情報通知方法。
【請求項６】
前記緊急速報用ＩＮＶＩＴＥパケットに含まれる緊急情報に基づいて音声ガイダンスを生成し、前記電話機が応答したときに前記音声ガイダンスを出力することを特徴とする請求項５に記載の緊急情報通知方法。
【請求項７】
前記緊急速報用ＩＮＶＩＴＥパケットに含まれる緊急情報に基づいて、前記複数の発光素子の発光態様を変化させることを特徴とする請求項５または６に記載の緊急情報通知方法。
【請求項８】
ＶｏＩＰ(Voice over IP)機能を有する通信装置における緊急情報通知機能をコンピュータに実現するプログラムであって、
予め付与された緊急速報用電話番号に対応するアドレスに緊急速報用ＳＩＰ(Session Initiation Protocol)サーバから緊急速報用ＩＮＶＩＴＥパケットを受信し、前記緊急速報用ＩＮＶＩＴＥパケットを受信した時に、その受信応答以外の制御信号を送信しない機能と、
前記緊急速報用ＩＮＶＩＴＥパケットを受信することで電話機を鳴動させ、複数の発光素子による緊急情報表示を行う機能と、
を前記コンピュータに実現することを特徴とするプログラム。
【発明の詳細な説明】
【技術分野】
【０００１】
本発明は地震速報などの緊急情報を配信するシステムに係り、特に緊急情報通知方法および装置に関する。
【背景技術】
【０００２】
周知のように２００７年１０月より緊急地震速報の配信サービスが開始され、高度利用者だけでなく、一般の個人や企業向けに緊急地震速報を提供することが可能となった。その配信方法としては、一斉配信に適したマルチキャスト（multicast）の採用が検討されている。
【０００３】
マルチキャストは、配信サーバおよび配信ネットワークを含めた配信システム全体の負荷を上げることなく、比較的安定した状態で緊急地震速報を配信できるというメリットがある反面、マルチキャスト配信サービスを享受できるのは、その契約している個人・企業だけに限られるというデメリットがある。一般的にインターネットなどのネットワークでは、マルチキャストパケットを通過させない装置が設置されていることがあり、全てのネットワーク上でマルチキャストパケットを使用できるわけではない。このため、多くのユーザが緊急地震速報の配信サービスを受けられない場合がある。
【０００４】
このような緊急速報を確実に伝達することを目的としたシステムが種々提案されている。たとえば、特許文献１に開示された災害警報システムは、センター装置が地震の初期微動を検知すると、避難メッセージを生成して住宅に設置されたホームゲートウェイ（ＨＧＷ）へ送信する。ＨＧＷは避難メッセージを受信すると、それを音声信号に変換し、宅内／宅外ドアホンでの呼び出しに応答があればメッセージを音声出力する。
【０００５】
また、特許文献２に開示された緊急情報通知方法では、ボタン電話主装置が地震事前情報をインターネット経由で受信すると、それを音声変換してボタン電話機へ通知すると共に、ホタン電話機のＬＣＤやＬＥＤを用いて可視情報として通知する。
【０００６】
【特許文献１】特開２００７−１８８３２７号公報
【特許文献２】特開２００７−２８１９０７号公報
【発明の開示】
【発明が解決しようとする課題】
【０００７】
しかしながら、特許文献１に開示されたシステムでは、ＨＧＷにより制御される宅内／宅外ドアホンなどを利用して避難メッセージを通知しているが、センター装置（自治体や電話局などのサーバ）を複数エリア内に設置する必要がある。さらに、避難メッセージはテキストデータであり、それをＨＧＷにおいて音声変換する必要がある。このためにＨＧＷの負荷が増大し、緊急情報の迅速な処理が困難になる。
【０００８】
特許文献２に開示された方法では、気象庁からの緊急地震情報がプロバイダ経由で各ユーザ宅へ配信され、それをボタン電話主装置で音声信号に変換してボタン電話機で音声として出力される。したがって、特許文献１と同様に、受信した緊急情報を音声変換するプロセスが必要となり処理の複雑化、ボタン電話主装置の負荷の増大という問題が生じる。
【０００９】
本発明の目的は、ハードウェアを変更することなく緊急情報を即座に通知することがで
きる緊急情報通知方法および装置並びにプログラムを提供することにある。
【課題を解決するための手段】
【００１０】
本発明による緊急情報通知装置は、ＶｏＩＰ(Voice over IP)機能を有する緊急情報通知装置であって、予め付与された緊急速報用電話番号に対応するアドレスに緊急速報用ＳＩＰ(Session Initiation Protocol)サーバから緊急速報用ＩＮＶＩＴＥパケットを受信する通信手段と、前記緊急速報用ＩＮＶＩＴＥパケットを受信することで電話機を鳴動させ、複数の発光素子による緊急情報表示を行う制御手段と、を有し、前記通信手段は、前記緊急速報用ＩＮＶＩＴＥパケットを受信した時に、その受信応答以外の制御信号は送信しない、ことを特徴とする。
本発明による緊急情報通知方法は、ＶｏＩＰ(Voice over IP)機能を有する通信装置における緊急情報通知方法であって、予め付与された緊急速報用電話番号に対応するアドレスに緊急速報用ＳＩＰ(Session Initiation Protocol)サーバから緊急速報用ＩＮＶＩＴＥパケットを受信し、前記緊急速報用ＩＮＶＩＴＥパケットを受信することで電話機を鳴動させ、複数の発光素子による緊急情報表示を行い、前記緊急速報用ＩＮＶＩＴＥパケットを受信した時に、その受信応答以外の制御信号は送信しない、ことを特徴とする。
本発明によるプログラムは、ＶｏＩＰ(Voice over IP)機能を有する通信装置における緊急情報通知機能をコンピュータに実現するプログラムであって、予め付与された緊急速報用電話番号に対応するアドレスに緊急速報用ＳＩＰ(Session Initiation Protocol)サーバから緊急速報用ＩＮＶＩＴＥパケットを受信し、前記緊急速報用ＩＮＶＩＴＥパケットを受信した時に、その受信応答以外の制御信号を送信しない機能と、前記緊急速報用ＩＮＶＩＴＥパケットを受信することで電話機を鳴動させ、複数の発光素子による緊急情報表示を行う機能と、を前記コンピュータに実現することを特徴とする。
【発明の効果】
【００１１】
本発明により、ハードウェアを変更することなく緊急情報を即座に通知することができる。
【発明を実施するための最良の形態】
【００１２】
１．一実施形態
本発明の一実施形態によれば、近年普及してきたＶｏＩＰサービスに機能追加を行うことによって、ＶｏＩＰルータを設置しているユーザに対しても緊急情報の配信を可能にする。ＶｏＩＰサービスを契約している個人ユーザ宅内や企業の社内ネットワーク内には、一般に、ＨＧＷ（ホームゲートウェイ）が設置されている。ＨＧＷは、ユーザのホームネットワークとインターネットに代表されるＩＰネットワークとを接続するための装置であり、通常、通信事業者が契約しているユーザに対してレンタルまたは譲渡しているものである。
【００１３】
本実施形態では、広く使用されているＨＧＷに緊急情報通知機能を追加することで緊急情報通知装置として動作させ、通信事業者に緊急速報用ＳＩＰサーバを追加することによって緊急情報の速報を可能にする。
【００１４】
ＨＧＷには、現在提供されているＶｏＩＰ用の電話番号の他に緊急速報用の電話番号が付与され、２つ以上の電話番号を管理可能な仕組みを有する。複数の電話番号を管理する機能は、多くのＨＧＷに既に設けられている。ＨＧＷに設定される緊急速報用の電話番号は、複数のユーザで同一の電話番号であることが望ましい。これにより、通信事業者が緊急速報配信サービスを行うにあたって、管理しなければならない電話番号が莫大に増えることを防ぐことができる。この緊急速報用の電話番号は通信事業者が独自に決めることができるが、重複してはならない。
【００１５】
ＨＧＷは、現在提供されているＶｏＩＰサービスのためのＳＩＰ-ＵＲＬ（ＳＩＰサーバのアドレス）に加え、後述する緊急速報を配信するためのＳＩＰ-ＵＲＬを持てるようにする。ただし、緊急速報用の電話番号と緊急速報用のＳＩＰ-ＵＲＬとは、ＨＧＷ内で関連付けられていなければならず、緊急速報の配信にＶｏＩＰで使用する電話番号やＶｏＩＰサービス用のＳＩＰ-ＵＲＬを使用することはできない。
【００１６】
通信事業者側では、通常のＶｏＩＰサービス用のＳＩＰサーバに加え、緊急速報専用のＳＩＰサーバ（以下、緊急地震速報用ＳＩＰサーバ１０２ともいう。）を用意する。緊急速報用の電話番号は同一の番号を複数のユーザで使用するため、この緊急地震速報用ＳＩＰサーバ１０２ではユーザを管理するための情報として電話番号を使用してはならず、後述するＳＩＰ registerパケットの送信元ＩＰアドレスなどで管理するべきである。
【００１７】
ＨＧＷは、緊急速報用ＳＩＰサーバから緊急速報用ＩＮＶＩＴＥパケットを受信することで、ホームネットワークに接続された電話機を鳴動させるとともに、ＨＧＷに通常搭載されている複数の発光素子（ＬＥＤなど）を制御して緊急情報表示を行うことができる。ＨＧＷは、緊急速報用ＩＮＶＩＴＥパケットを受信した時に、その受信応答以外の制御信号は送信しないことが望ましい。ネットワーク負荷の増大を回避するためである。
【００１８】
また、緊急速報用ＩＮＶＩＴＥパケットに含まれる緊急情報に基づいて音声ガイダンスを生成し、ユーザが電話機をオフフックして応答したときに音声ガイダンスを出力することができる。
【００１９】
さらに、緊急速報用ＩＮＶＩＴＥパケットに含まれる緊急情報に基づいて複数の発光素子の発光態様を変化させることが望ましい。たとえば、緊急情報に地震の予想到達時刻が含まれる場合には、現時点から地震予想到達時刻までの時間を算出して、その到達するまでの時間の長さをＬＥＤの表示箇所あるいは表示個数などで表すことができる。これによって、電話機の鳴動や音声ガイダンスだけでなく、発光素子の発行態様から地震の発生およびその予想到達時刻までの残り時間を即座に認識することが可能となる。
【００２０】
以下、気象庁から配信される緊急地震速報を緊急情報の一例として、本発明の一実施例を詳細に説明する。
【００２１】
２．一実施例
２．１）システム構成
図１は本発明の一実施例による緊急情報配信システムの全体的構成を示すネットワーク図である。ここでは、通信事業者システム１０に複数のユーザ宅１〜Ｎが加入しており、（財）気象業務支援センターの緊急地震速報配信システム１１から配信される緊急地震速報が通信事業者システム１０を通して各ユーザ宅へ配信されるものとする。
【００２２】
まず、全国に設置されている地震計が地震を観測すると、その観測データは気象庁に集められ、気象庁は収集したデータを基に地域ごとの地震予想到達時間および予想震度を計算する。緊急地震速報配信システム１１は、これらの結果から緊急地震速報を作成して各通信事業者へ配信し、各通信事業者の通信事業者システム１０を通してそれぞれが契約しているユーザ宛に緊急地震速報を配信する。
【００２３】
通信事業者システム１０には、ＩＰパケットを使用した電話サービス（ＶｏＩＰサービス）用のＳＩＰサーバ１０１と、緊急地震速報用のＳＩＰサーバ１０２と、通信事業者システム１０の通信制御を行う通信事業者サーバ１０３とが設けられている。通信事業者サーバ１０３は、緊急地震速報配信システム１１およびインターネット１２との通信制御を行い、終端装置１０４を介してユーザ宅のホームゲートウェイ（ＨＧＷ）２０との通信制御も行う。終端装置１０４は、光通信であればＯＬＴ(Optical Line Termination)である。
【００２４】
各ユーザ宅には、ＨＧＷ２０のＬＡＮ側にホームネットワークが構成され、パーソナルコンピュータ（ＰＣ）やＩＰ電話機２１などが接続されている。また、電話機２１がアナログ電話機であれば、ＨＧＷ２０のアナログポートに接続することもできる。
【００２５】
２．２）ＨＧＷ
図２は図１に示すホームゲートウェイＨＧＷの概略的構成を示すブロック図である。ただし、ここでは本実施例によるＶｏＩＰ機能に関連する構成のみが図示されている。
【００２６】
ＨＧＷ２０のＷＡＮ側は終端装置２０１により通信事業者システム１０の終端装置１０４に接続され、ＬＡＮ側はＶｏＩＰルータ２０２によりＩＰ電話機２１やＰＣなどが接続されている。ＨＧＷ２０の全体的な動作は制御部２０３により制御されるが、本実施例に関連する緊急情報通知は、メモリ２０４、ＬＥＤ表示部２０５、音声出力部２０６および表示部２０７を用いて実行される。
【００２７】
メモリ２０４は、予め付与された緊急用アドレス、緊急速報により受信した緊急情報、および所定の音声ガイダンス情報を格納する。緊急用アドレスとしては、現在提供されているＶｏＩＰサービスのためのＳＩＰ-ＵＲＬ（ＳＩＰサーバのアドレス）および電話番号に加え、緊急速報配信のためのＳＩＰ-ＵＲＬおよび電話番号を含む。ただし、緊急速報用の電話番号とＳＩＰ-ＵＲＬとは関連付けられ、制御部２０３は緊急速報の配信にＶｏＩＰで使用する電話番号やＶｏＩＰサービス用ＳＩＰ-ＵＲＬを使用しないように制御する。
【００２８】
ＬＥＤ表示部２０５は複数個のＬＥＤが配列され、制御部２０３の制御に従って地震予想到達時刻までの残り時間や震度をＬＥＤの発光個数や点滅などで表現する。音声出力部２０６は、制御部２０３の制御に従って、メモリ２０４に格納された音声ガイダンスや警告音をスピーカから出力する。表示部２０７は液晶ディスプレイ等であり、地震予想到達時刻までの残り時間や震度を文字で表示することもできる。
【００２９】
次に、本実施例による緊急情報配信システムおよびＨＧＷ２０における緊急情報配信動作について緊急地震速報を一例として詳細に説明する。
【００３０】
２．３）緊急情報配信動作
図３は、図１に示す緊急情報配信システムにおける緊急地震速報の配信手順および図２に示すＨＧＷにおける緊急情報通知手順を示すシーケンス図である。
【００３１】
まず、ユーザがＨＧＷ２０の電源を投入して起動し（ステップＳ３００）、ＨＧＷ２０のＷＡＮ側の終端装置２０１と事業者システム１０の終端装置１０４とがリンクアップし通信可能な状態に移行すると、ＨＧＷ２０の制御部２０３は上位側へネットワーク接続に必要な情報を要求する。事業者側のサーバ１０３は、ＨＧＷ２０からの要求を受信すると、貸与可能なＩＰアドレスやＤＮＳサーバのアドレス情報などネットワーク接続に必要な情報を送信する。ＨＧＷ２０の制御部２０３は、これらサーバから必要な情報を受信すると、その情報を自装置内に設定する。ＶｏＩＰ用ＳＩＰサーバ１０１のＳＩＰ-ＵＲＬ、緊急地震速報用ＳＩＰサーバ１０２のアドレスやＳＩＰ-ＵＲＬの情報もこのタイミングで取得し、メモリ２０４に格納する（ステップ３０１）。
【００３２】
ＨＧＷ２０は、上記ステップＳ３０１で取得した情報を用いてＶｏＩＰ用ＳＩＰサーバ１０１および緊急地震速報用ＳＩＰサーバ１０２に対してＳＩＰ registerパケットを送信し、それらに対する応答であるＳＩＰ 200ＯＫパケットを受信する（ステップＳ３０２、Ｓ３０３）。たとえば、緊急地震速報用ＳＩＰサーバ１０２との間で行われるステップＳ３０３を例にとると、ＨＧＷ２０は緊急地震速報用ＳＩＰサーバ１０２宛のregisterパケットを送信し、それを受信した緊急地震速報用ＳＩＰサーバ１０２は、当該registerパケット内に含まれる情報から契約ユーザが発信したものと判断することができる。契約ユーザからのregisterパケットであると判断すると、緊急地震速報用ＳＩＰサーバ１０２は当該情報の管理を開始すると共に、受信したregisterパケットに対する応答として200ＯＫパケットを当該ユーザ宅のＨＧＷ２０へ返送する。ただし、既に述べたように緊急地震速報用の電話番号は複数のユーザで共有であるから、緊急地震速報用ＳＩＰサーバ１０２は情報管理に電話番号を使用することはできない。
【００３３】
以上で、地震発生前までの準備は終了するが、ＨＧＷ２０のＷＡＮ側のＩＰアドレスが変更になった場合などにはregisterパケットが再送される。次に、地震が発生し、通信事業者が気象業務支援センターから緊急地震速報を受信した場合の動作について説明する。
【００３４】
図３において、地震が発生し、地震速報が発信されると（ステップＳ３０４）、通信事業者システム１０の通信事業者サーバ１０３が緊急地震速報を受信する（ステップＳ３０５）。緊急地震速報を受信すると、サーバ１０３は、即時に緊急地震速報用ＳＩＰサーバ１０２へ速報配信を指示する（ステップＳ３０６）。これを受けて緊急地震速報用ＳＩＰサーバ１０２は、契約しているユーザ宅の地域情報から地域ごとの地震予想到達時刻および予想震度を含むＩＮＶＩＴＥパケットを生成し（ステップＳ３０７）、各ユーザのＨＧＷ２０へ配信する（ステップＳ３０８）。
【００３５】
より詳しくは、緊急地震速報用ＳＩＰサーバ１０２は、ステップＳ３０３において地震発生前の準備段階でregisterパケットを受信し200ＯＫパケットを返送したＨＧＷ宛にＩＮＶＩＴＥパケットを送信する（ステップＳ３０８）。この緊急速報用ＩＮＶＩＴＥパケットは、到達度を高めるために、ＩＰヘッダの優先ビットをたてることで優先的にルーティングまたはフォワーディングされるようにする。この優先制御は、ＩＰｖ４パケットであればＴｏＳフィールド、ＩＰｖ６パケットであればTraffic ClassフィールドをＤＳフィールドに再定義することによって行う。さらに、緊急速報用ＩＮＶＩＴＥパケットのＳＤＰフィールドに地震の到達予想時間および予想震度の情報を載せる。
【００３６】
ＨＧＷ２０は、緊急地震速報用ＳＩＰサーバ１０２からＩＮＶＩＴＥパケットを受信すると、そのＳＤＰフィールドに格納されている地震の予想到達時間および予想震度の情報をＨＧＷ２０のメモリ２０４に登録する（ステップＳ３０９）。
【００３７】
続いて、ＨＧＷ２０は、緊急速報用ＩＮＶＩＴＥパケットの受信に応答して、緊急地震速報用ＳＩＰサーバ１０２に１００Tryingパケットを返送する（ステップＳ３１０）。これにより、緊急地震速報用ＳＩＰサーバ１０２は、ＨＧＷ２０がＩＮＶＩＴＥパケットを受信したと判断する。もしＨＧＷ２０から１００Tryingパケットを所定時間内に受信しなかった場合、緊急地震速報用ＳＩＰサーバ１０２は先に送信したＩＮＶＩＴＥパケットがＨＧＷ２０に到達していないと判断し、ＩＮＶＩＴＥパケットの再送を行う。ただし、ＨＧＷ２０の電源が入っていないことによる無応答の場合などを考慮し、ＩＮＶＩＴＥパケットの再送回数をあらかじめ決めておくことが望ましい。また、ＩＮＶＩＴＥパケットの再送回数の上限を超えなくても、地震の到達予想時間を過ぎた場合にはＩＮＶＩＴＥパケットの再送動作を停止する。ただし、後述するように、ＨＧＷ２０からの応答は、ネットワークの付加上昇を抑制するために、この１００Tryingパケットだけにすることが望ましい。
【００３８】
このようにして、緊急地震速報用ＳＩＰサーバ１０２からＨＧＷ２０への緊急地震速報データの到達性を高めることができる。
【００３９】
ＨＧＷ２０の制御部２０３は、緊急地震速報用ＳＩＰサーバ１０２に１００Tryingパケットを返送すると共に、接続された電話機２１に対してリンガを送信し（ステップＳ３１１）、電話機２１を鳴動させてユーザに緊急地震速報を受信したことを知らせる。すなわち、緊急地震速報用ＳＩＰサーバ１０２からＩＮＶＩＴＥパケットを受信したタイミングで、ＨＧＷ２０に接続しているアナログ電話機またはＩＰ電話機を鳴動させる。
【００４０】
ＨＧＷ２０のアナログポートに接続している電話機については、ＩＲ信号、ＳＩＲ信号による着信音の鳴り分け機能を具備させることにより、ユーザは着信音によってＶｏＩＰ通話による鳴動なのか緊急地震速報を受信したのかを判断することができる。この着信音の相違については予めユーザに通知しておけばよい。ＩＰ電話機の場合、ＩＰ電話機側で着信音を決定しているので、ユーザが緊急地震速報用の着信音を設定すればよい。
【００４１】
ステップＳ３０９において緊急地震速報用ＩＮＶＩＴＥパケットから地震の予想到達時間および予想震度の情報を登録すると、制御部２０３は、予想到達時刻と自局の時計機能による現在時刻とから地震が到達するまでの残り時間（以下、到達予想時間という。）を算出する（ステップＳ３１２）。この到達予想時間は時間が進むに従って短くなる。そして制御部２０３はＬＥＤ表示部２０５を制御して、点灯、消灯あるいは点滅等により到達時間および予想震度をユーザに知らせる（ステップＳ３１３）。例えば、ＬＥＤ表示部２０５に２色に切り替え可能なＬＥＤが５個具備されている場合、ＬＥＤの点灯個数で地震到達までの予想時間を表し、ＬＥＤの色で予想震度を表すことができる。このとき、到達予想時間は時間の経過とともに短くなっていくので、１秒毎にメモリ２０４にエントリした予想到達時刻にアクセスし、現在時刻と比較することでＬＥＤの表示態様を変えていく。ただし、ＬＥＤの表示態様と表示情報との対応については、ユーザに予め知らせておく必要がある。
【００４２】
また、ユーザへの地震の到達予想時間および予想震度の通知は、ＬＥＤ表示部２０５によるだけでなく、ＨＧＷ２０のメモリ２０４に保存している音声ガイダンスを使用することもできる。予想震度は大きいものの地震が到達するまでの時間に余裕がある場合は、ユーザへの緊急情報通知を電話機２１の受話器からの音声ガイダンスによって行うようにする。すなわち、リンガにより電話機２１が鳴動し（ステップＳ３１１）、それに対してユーザがオフフックにより応答すると（ステップＳ３１４）、制御部２０３は、メモリ２０４に格納した音声ガイダンスに地震到達までに予想時間と予想震度を組み入れて受話器から出力する（ステップＳ３１５）。例えば、「xx秒後に震度yy」のような音声ガイダンスを用意しておき、「xx」および「yy」の部分は、オフフックのタイミングで到達予想時間を算出し、算出した到達予想時間と予想震度とを音声ガイダンスに組み込めばよい。あるいは、ＩＮＶＩＴＥパケットがＨＧＥ２０に到達した時刻を記憶しておき、ＩＮＶＩＴＥパケットを受信してからユーザが電話機２１の受話器を上げるまでの時間をカウントして、カウントした時間をＩＮＶＩＴＥパケットに含まれる予想到達時間からマイナスすることで、オフフックタイミングでの到達予想時間を算出することもできる。
【００４３】
ただし、ユーザが電話機２１の受話器をオフフックしたときに（ステップＳ３１４）、ネットワーク負荷の上昇を回避するために、制御部２０３は通常のＶｏＩＰ動作のようにＳＩＰ 200ＯＫパケットを返信しない。
【００４４】
こうして、予想到達時間が０になると、電話機２１の鳴動を停止し、ＬＥＤ表示部２０５の点灯状態を通常使用時の状態表示に戻す。また、音声ガイダンスも停止し、メモリ２０４にエントリされた緊急情報を解除することによって、緊急地震速報の通知サービスを終了する。
【００４５】
２．４）効果
上述したように、本実施例によれば、既存のＶｏＩＰサービス用のＳＩＰプロトコルやＶｏＩＰサービスを受けるための機能を利用して緊急情報の配信および通知を行っているために、開発コストを抑制することができる。さらに、本サービスを始めるにあたり、既存のネットワークを利用可能であるため、運用開始にかかるコストが少なくて済む。
【００４６】
また、ＶｏＩＰ機能を搭載しているＨＧＷならば、ファームウェアのアップロードだけで本実施例を実現することが可能性である。たとえば、ＶｏＩＰサービスを契約しているユーザならば、ＨＧＷ２０の電源は常時入っているものと想定され、また、電話機２１も既に接続済みであると予想できるので、緊急地震速報のためだけにハードウェアを余計に設置したり電源投入し続けたりする必要がない。
【００４７】
ＶｏＩＰサービスを契約していないユーザでも、契約している通信事業者がＶｏＩＰサービスを提供しており、かつ、ユーザが設置しているＨＧＷ２０にＶｏＩＰルータ２０２が装備されていれば、ＨＧＷ２０に電話機２１を接続するだけで緊急地震速報サービスを受けることができる。
【００４８】
上述したように、緊急地震速報に関する情報を運ぶＳＩＰパケットに優先ビットを付与すれば、負荷の高いネットワークでも緊急地震速報サービスのパケットを比較的高い確率で配信することができる。また、ＶｏＩＰ通話時のＳＩＰシーケンスの一部のみを使用してサービスを提供できるため、ネットワーク負荷が低く抑えることができる。
【００４９】
ＳＩＰパケットはＵＤＰであるが、ＳＩＰは相互にやりとりを行うプロトコルであるため、緊急地震速報の到達性を確認することができ、信頼性が高まる。
【００５０】
ＶｏＩＰが可能なＨＧＷ２０は、ＨＧＷ自らがＳＩＰサーバ宛にＳＩＰ registerパケットを送信することにより、限定したＳＩＰパケットを待ち受けるようになる。このため、緊急地震速報の配信サービスを受けるにあたってＨＧＷ２０にＩＰマスカレード等を設定する必要がなく、本サービスを受けるにあたってＨＧＷ２０のセキュリティレベルが落ちる可能性は極めて低い。
【産業上の利用可能性】
【００５１】
本発明は、緊急地震速報などの緊急情報を各ユーザへ配信するシステムおよび緊急情報を各ユーザへ通知するシステムに適用可能である。
【図面の簡単な説明】
【００５２】
【図１】本発明の一実施例による緊急情報配信システムの全体的構成を示すネットワーク図である。
【図２】図１に示すホームゲートウェイＨＧＷの概略的構成を示すブロック図である。
【図３】図１に示す緊急情報配信システムにおける緊急地震速報の配信手順および図２に示すＨＧＷにおける緊急情報通知手順を示すシーケンス図である。
【符号の説明】
【００５３】
１−Ｎ  ユーザ宅
１０  通信事業者システム
１１  緊急地震速報配信システム
１２  インターネット
２０  ホームゲートウェイ（ＨＧＷ）
２１  電話機
１０１  ＶｏＩＰ用ＳＩＰサーバ
１０２  緊急地震速報用ＳＩＰサーバ
１０３  通信事業者サーバ
１０４  終端装置
２０１  終端装置
２０２  ＶｏＩＰルータ
２０３  制御部
２０４  メモリ
２０５  ＬＥＤ表示部
２０６  音声出力部
２０７  表示部
【図１】
0004993759.tif 000002
【図２】
0004993759.tif 000003
【図３】
0004993759.tif 000004